(57)【要約】      （修正有）【課題】背中、臀部の位置を考慮しつつ枕の高さを決定できる装置を提供する。【解決手段】被験者の横の姿が撮影された人物画像を取得する取得部４０と、人物画像中の被験者の後頭部、背中、臀部の位置を決定する位置決定部４２と、後頭部と背中を結ぶ第１直線を算出する第１直線算出部４４と、背中と臀部とを結ぶ第２直線を算出する第２直線算出部４６と、第１直線と第２直線とが交差する頭傾斜角度を算出する角度算出部４８と、頭傾斜角度が大きいほど、枕２の高さを高く決定する高さ決定部５０とを有する。【選択図】図２
2015094740.tif 000002
【特許請求の範囲】
【請求項１】
被験者の横の姿が撮影された人物画像を取得する取得部と、
前記人物画像中の前記被験者の後頭部、背中、臀部の位置を決定する位置決定部と、
前記後頭部と前記背中を結ぶ第１直線を算出する第１直線算出部と、
前記背中と前記臀部とを結ぶ第２直線を算出する第２直線算出部と、
前記第１直線と前記第２直線とが交差する頭傾斜角度θを算出する角度算出部と、
前記頭傾斜角度が大きいほど、枕の高さを高く決定する高さ算出部と、
を有する枕の高さ決定装置。
【請求項２】
前記高さ決定部は、前記頭傾斜角度θが、第１閾値角度θ１より大きいときは高い枕に決定し、第１閾値角度θ１より小さく第２閾値角度θ２（但し、θ１＞θ２である）より大きいときは普通の高さの枕に決定し、第２閾値角度θ２より小さいときは低い枕に決定する、
請求項１記載の枕の高さ決定装置。
【請求項３】
前記頭傾斜角度に対応した前記枕の種類が記憶された記憶部をさらに有し、
前記高さ決定部は、前記頭傾斜角度に対応した前記枕の種類を前記記憶部から呼び出す、
請求項１又は２記載の枕の高さ決定装置。
【請求項４】
前記位置決定部は、前記人物画像中の前記被験者の前記後頭部、前記背中、前記臀部の位置に位置特定目印をそれぞれ移動させることにより、前記後頭部、前記背中、前記臀部の位置を決定する、
請求項１乃至３のいずれか一項に記載の枕の高さ決定装置。
【請求項５】
前記位置決定部は、前記人物画像中の前記被験者の腰部をさらに決定し、
前記背中と前記臀部の位置を前記第２直線の高さより低く補正した寝具の側面画像、又は、前記腰部の位置を前記第２直線の高さより高くした前記側面画像を生成する寝具画像生成部をさらに有する、
請求項１乃至４のいずれか一項に記載の枕の高さ決定装置。
【請求項６】
被験者の横の姿が撮影された画像を取得する取得ステップと、
前記人物画像中の前記被験者の後頭部、背中、臀部の位置を決定する位置決定ステップと、
前記後頭部と前記背中を結ぶ第１直線を算出する第１直線算出ステップと、
前記背中と前記臀部とを結ぶ第２直線を算出する第２直線算出ステップと、
前記第１直線と前記第２直線とが交差する頭傾斜角度を算出する角度算出ステップと、
前記頭傾斜角度が大きいほど、枕の高さを高く算出する高さ決定ステップと、
を有する枕の高さ決定方法。
【請求項７】
被験者の横の姿が撮影された画像を取得する取得機能と、
前記人物画像中の前記被験者の後頭部、背中、臀部の位置を決定する位置決定機能と、
前記後頭部と前記背中を結ぶ第１直線を算出する第１直線算出機能と、
前記背中と前記臀部とを結ぶ第２直線を算出する第２直線算出機能と、
前記第１直線と前記第２直線とが交差する頭傾斜角度を算出する角度算出機能と、
前記頭傾斜角度が大きいほど、枕の高さを高く算出する高さ決定機能と、
をコンピュータに実現させるための枕の高さ決定プログラム。
【発明の詳細な説明】
【技術分野】
【０００１】
本発明は、枕の高さ決定装置、その方法及びそのプログラムに関するものである。
【背景技術】
【０００２】
最近、自分に合った枕を選ぶ枕ブームであるが、この自分に合った枕の高さを選ぶことは難しい。そのため、従来より枕の高さの決定方法としては、頭部の位置と頸椎の位置をノギスで技術者が測り、これに基づいて枕の高さを決定したり、また、水平方向に移動自在な複数本の棒からなる頸椎測定器を被験者の後頭部に当て、後頭部から頸椎高さまでの高さを計測し、それに基づいて枕の高さを決定している。
【先行技術文献】
【特許文献】
【０００３】
【特許文献１】実公平７−４９３６４号公報
【特許文献２】実用新登録第３０９５２８２号公報
【特許文献３】特開平１０−１６８６３１号公報
【発明の概要】
【発明が解決しようとする課題】
【０００４】
しかし、上記のような従来の枕の高さの決定方法では、熟練した技術が必要であると共に、後頭部の形状のみから枕の高さを決定するため、被験者の背中や臀部などの体型を考慮した枕の高さになっていないという問題点があった。
【０００５】
そこで、本発明は上記問題点に鑑み、背中、臀部の位置を考慮しつつ簡単に枕の高さを決定できる枕の高さ決定装置、その方法及びプログラムを提供することを目的とする。
【課題を解決するための手段】
【０００６】
本発明は、被験者の横の姿が撮影された人物画像を取得する取得部と、前記人物画像中の前記被験者の後頭部、背中、臀部の位置を決定する位置決定部と、前記後頭部と前記背中を結ぶ第１直線を算出する第１直線算出部と、前記背中と前記臀部とを結ぶ第２直線を算出する第２直線算出部と、前記第１直線と前記第２直線とが交差する頭傾斜角度を算出する角度算出部と、前記頭傾斜角度が大きいほど、枕の高さを高く決定する高さ算出部と、を有する枕の高さ決定装置である。
【発明の効果】
【０００７】
本発明によれば、被験者の横の姿が撮影された人物画像を取得するだけで、枕の高さを簡単に決定できる。
【図面の簡単な説明】
【０００８】
【図１】本発明の一実施形態を示す枕の高さ決定装置のブロック図である。
【図２】本装置のブロック図である。
【図３】被験者の横の姿を撮影した人物画像の図である。
【図４】被験者の後頭部などの位置を決定したときの人物画像の図である。
【図５】第１直線と第２直線を決定したときの人物画像の図である。
【図６】他の被験者の第１直線と第２直線を決定したときの人物画像の図である。
【図７】さらに他の被験者の第１直線と第２直線を決定したときの人物画像の図である。
【図８】寝具を決定するときの人物画像の図である。
【図９】枕と寝具を決定したときの人物画像の図である。
【図１０】枕の高さ決定装置のフローチャートである。
【発明を実施するための形態】
【０００９】
以下、本発明の枕の高さ決定装置（以下、単に「決定装置」という）１０について図１〜図１０に基づいて説明する。本実施形態の決定装置１０は、例えばタブレット端末によって実現する。
【００１０】
（１）決定装置１０の構成
決定装置１０の構成について図１と図２に基づいて説明する。
【００１１】
決定装置１０は、上記したようにタブレット端末によって実現でき、図１に示すように、制御部１２、カメラ１４、表示部１６、タッチパネル１８、記憶部２０、通信部３６を有している。
【００１２】
制御部１２はＣＰＵよりなり、図２に示すように、取得部４０、位置決定部４２、第１直線算出部４４、第２直線算出部４６、角度算出部４８、高さ算出部５０、寝具画像生成部５２を有する。これら取得部４０、位置決定部４２、第１直線算出部４４、第２直線算出部４６、角度算出部４８、高さ決定部５０、寝具画像生成部５２は、コンピュータである制御部１２に格納された枕の高さ決定プログラムによって実現される。
【００１３】
カメラ１４は、タブレット端末の裏面に設けられたＣＣＤ素子である。
【００１４】
表示部１６は、タブレット端末の表面に設けられた、例えば１０インチの液晶表示装置である。
【００１５】
タッチパネル１８は、表示部１６の表面に設けられている。
【００１６】
記憶部２０は、メモリからなり、高い枕の画像と素材別の価格の一覧表、普通の（高さの）枕の画像と素材別の価格の一覧表、低い枕の画像と素材別の価格の一覧表、非常に低い枕の画像と素材別の価格の一覧表がそれぞれ記憶されている。なお、「高い枕」とは、例えば高さが５〜７ｃｍ、「普通の枕」とは、例えば高さが３〜５ｃｍ、「低い枕」とは、例えば高さが１〜３ｃｍ、「非常に低い枕」とは、例えば高さが１ｃｍ以下である。また、枕２の素材とは、例えばポリエステル綿、ソフトパイプ、ハードパイプである。
【００１７】
通信部３６は、サーバーなどのパソコン、他のタブレット端末、スマートフォン、プリンタなどとデータ通信を行える。
【００１８】
（２）各部４０〜５２の内容
次に、制御部１２の各部４０〜５２の内容について図２に基づいて説明する。
【００１９】
取得部４０は、カメラ１４によって被験者１が真っ直ぐに立った横の姿が撮影された人物画像２４を、カメラ１４から取得し、表示部１６に表示する。
【００２０】
位置決定部４２は、取得部４０が取得した人物画像２４中の被験者１の後頭部、頸椎、背中、腰、臀部の５点の位置を決定する。
【００２１】
第１直線算出部４４は、位置決定部４２によって決定した人物画像２４中の後頭部の位置と背中の位置とを結ぶ第１直線を算出する。
【００２２】
第２直線算出部４６は、位置決定部４２によって決定した人物画像２４中の背中と前記臀部とを結ぶ第２直線を算出する。
【００２３】
角度算出部４８は、第１直線算出部４４が算出した第１直線と第２直線算出部４６が算出した第２直線とが交差する頭傾斜角度θを算出する。
【００２４】
高さ決定部５０は、頭傾斜角度θが大きいほど、枕２の高さを高くするように、枕２の高さを決定する。
【００２５】
寝具画像生成部５２は、背中の位置と臀部の位置を第２直線の高さより低く補正した寝具３の表面形状の側面画像、又は、腰部の位置を第２直線の高さより高くした寝具３の表面形状の側面画像を生成して人物画像２４に重ねて表示部１６に表示する。
【００２６】
（３）決定装置１０の動作
次に、決定装置１０を用いて、被験者１の枕２の高さと寝具の表面形状を決定する動作について図３〜図９の人物画像と、図１０のフローチャートに基づいて説明する。
【００２７】
ステップＳ１において、枕２と寝具３を販売する店員が、決定装置１０の制御部１２に格納された枕２の高さ決定プログラムを起動させて初期画像を表示部１６に表示する。初期画像には、長方形の大きさ決定領域２２と５個の矢印（位置特定目印）２６〜３４が表示されている。店員は決定装置１０を持って、被験者１が真っ直ぐに立った横の姿を表示部１６に写して、カメラ１４で撮影する。このとき、図３に示すように、被験者１が真っ直ぐに立った横の姿であって、かつ、表示部１６に表示されている長方形の大きさ決定領域２２内に、被験者１の頭部の横の姿が納まるように、店員は、決定装置１０と被験者１との距離を決定する。すなわち、被験者１からあまり決定装置１０を離すと被験者１の頭部が小さくなりすぎ、逆に近くなりすぎると大きくなりすぎるため、その距離をうまく調整して頭部のサイズを決定する。例えば、大きさ決定領域２２は、決定装置１０と被験者１との距離が２ｍのときに、頭部が最適のサイズになるように設定されている。この状態で、図３に示すように、店員が被験者１の横の姿をカメラ１４で撮影し、取得部４０が、人物画像２４を取得して表示部１６に表示する。そしてステップＳ２に進む。
【００２８】
ステップＳ２において、店員は、図３に示すように、表示部１６に表示されている５個の矢印２６〜３４を、図４に示すように、被験者１の後頭部の最も突き出た部分（以下、「Ａ点」という）と、頸椎の部分（以下、「Ｂ点」という）と、背中の最も突き出た部分（以下、「Ｃ点」という）と、腰部の最も凹んだ部分（以下、「Ｄ点」という）と、臀部の最も突き出た部分（以下、「Ｅ点」という）にタッチパネル１８を指で操作して移動させる。このときに、店員は、被験者１が着ている服の厚みや膨らみを考慮して、被験者１の体のラインに沿った背中の最も突き出た部分（Ｃ点）と、腰部の最も凹んだ部分（Ｄ点）と、臀部の最も突き出た部分（Ｅ点）に矢印３０，３２，３４の先端を移動させる。位置決定部４２は、人物画像２４上におけるＡ点〜Ｅ点の座標位置を読み取る。これら５点の座標位置を設定する座標は、表示部１６における２軸直交のｘｙ座標上の画素位置で設定する。そしてステップＳ３に進む。
【００２９】
ステップＳ３において、第１直線算出部４４は、図５に示すように、Ａ点とＢ点の座標位置（画素位置）を結ぶ第１直線Ｌ１の直線式を算出する。そしてステップＳ４に進む。
【００３０】
ステップＳ４において、第２直線算出部４６は、図５に示すように、Ｃ点とＥ点の座標位置（画素位置）を結ぶ第２直線Ｌ２の直線式を算出する。そしてステップＳ５に進む。
【００３１】
ステップＳ５において、角度算出部４８は、図５に示すように、第１直線Ｌ１と第２直線Ｌ２の交差する頭傾斜角度θを算出する。そしてステップＳ６に進む。
【００３２】
ステップＳ６において、高さ決定部５０は、頭傾斜角度θから枕２の高さを決定する。ここで頭傾斜角度θと枕２の高さについて説明する。図６に示すように、頭傾斜角度θが大きいほど被験者１が寝具３に寝たときに寝具３と後頭部のＡ点との距離が大きくなるため、高い枕２が必要となる。一方、頭傾斜角度θが小さいほど、また図７に示すように頭傾斜角度θがマイナスになるほど、低い枕２が必要となる。そこで、高さ決定部５０には第１閾値角度θ１＝３０°、第２閾値角度θ２＝１５°、第３閾値角度θ３＝０°が記憶され、高さ決定部５０は算出した頭傾斜角度θとこれら３種類の閾値角度θ１〜θ３を比較して下記のように枕２の高さを決定する。なお、これら第１閾値角度θ１、第２閾値角度θ２、第３閾値角度θ３の値は、例示であり必要に応じて変更してもよい。
【００３３】
θ＜０°のとき非常に低い枕、又は、枕が不要、
０°＜＝θ＜１５°のとき低い枕、
１０°＜＝θ＜３０°のとき普通の高さの枕、
３０°＜＝θのとき高い枕。
【００３４】
高さ決定部５０は、「高い枕」、「普通の（高さの）枕」、「低い枕」、「非常に低い枕」の中から上記決定した枕２の高さを表示部１６に表示する。また、この表示と共に、例えば、「普通の枕」と決定した場合には、高さ決定部５０は、「普通の枕」の画像と素材の一覧表を記憶部２０から呼び出し表示部１６に表示する。そして、店員と被験者１が、その一覧表から自分の希望する枕２をタッチパネル１８で操作して決定する。そしてステップＳ７に進む。
【００３５】
ステップＳ７において、寝具画像生成部５２は、図８に示すように、表示部１６に第２直線Ｌ２に沿って寝具３の側面画像を重ねて表示する。寝具３の側面画像は、所定長さ毎（例えば１０ｃｍ毎）のブロックＰ１〜Ｐ２０に区画されている。そして、ステップＳ８に進む。
【００３６】
ステップＳ８において、店員は、その表示部１６に表示された寝具３の側面画像と被験者１の横の姿のラインを見ながら、図９に示すように、ラインに沿うように腰のＤ点におけるブロックＰ９〜Ｐ１４を高くして寝具３の表面形状を修正する。そしてステップＳ９に進む。なお、この高さの修正できる寝具３としては、例えば、下記に示す本出願人の特許第４３５４７８２号に開示された寝具３がある。これにより、枕２の高さと寝具３の表面形状を決定できる。図示はしないが、寝具３の表面形状を修正するときに、背中のＣ点におけるブロックＰ７〜Ｐ９と臀部のＥ点におけるＰ１４〜Ｐ１６のブロックを低くなるようにしてもよい。
【００３７】
ステップＳ９において、寝具画像生成部５２は、修正された被験者１の体型に応じた寝具３の表面形状の側面画像を記憶すると共に、人物画像２４の被験者１に重ねて表示する。また、高さ決定部５０も、枕２を表示部１６の人物画像２４の被験者１に重ねて表示する。
【００３８】
なお、特許第４３５４７８２号に開示された寝具３とは、表面に面積が大中小の差のある突起を配した弾性体を内装したものであって、該弾性体の表面の突起が、身体背面の凹凸形状の突出量の変化に対して前記突起の面積が変化しないか又は逆に変化するように配置し、かつ、身体の横臥状態における背面が寝具に及ぼす荷重の変化に対して前記突起の面積が変化しないか又は符合するように配置し、そして、寝具３の裏側において、その寝具３の幅方向にわたる袋部を複数形成し、該袋部に寝具３の嵩を部分的に嵩上げするための嵩上げ板を収納できるようにしたものである。
【００３９】
（４）効果
本実施形態の決定装置１０であると、枕２の高さを決定するときに、従来のように後頭部の形状だけでなく、寝具３に対する背中と臀部の高さも考慮するため、被験者１により合った枕２の高さを決定できる。また、被験者１の体型に応じた寝具３の表面形状も決定できる。すなわち、被験者１の立位姿勢をそのまま横に寝かした姿勢が、被験者１にとって良い寝た姿勢のため、被験者１の体型の傾向を確認することにより、身体と枕２、寝具３との隙間を埋めることで、理想的な寝た姿勢を崩さず、体圧分散性を向上させ快適な寝環境を作ることができる。
【００４０】
また、カメラ１４で被験者１の横の姿を撮影するだけで枕２の高さと寝具３の表面形状を決定でき決定できる。そのため、上記枕２の高さや寝具３の決定において、店員に特別な技術を必要としない。
【００４１】
また、記憶部２０に販売したい枕２を記憶させておけば、高さに応じた枕２をすぐに表示部１６に表示でき販売促進につながる。
【００４２】
また、被験者１が不自然な姿勢を行った場合には撮影前に修正すればよく、より理想的な姿勢で撮影できる。
【００４３】
また、大掛かりな測定装置を必要とせず、タブレット端末で行うことができるため、お客である被験者１が撮影のときに緊張しない。
【００４４】
（５）変更例
上記実施形態では、５個の矢印２６〜３４で５点の位置を示したが、これに加えて後ろ姿のラインをタッチパネルで指でなぞって表示し、被験者１の姿勢を明確に表示してもよい。そして、このラインに基づいて店員が被験者１の寝る姿勢をより正確に説明できる。
【００４５】
また、このラインを描くときに、被験者１が着ている服の膨らみなどを省いて描くことにより、より明確に被験者１の後ろ姿のラインを描くことができる。
【００４６】
上記実施形態では枕２の硬さと寝具３の硬さは一定であったが、これに限らず枕２や寝具３の硬さが柔らかい場合には、被験者１による沈みが大きいため、枕２の高さをより低く修正してもよい。
【００４７】
上記実施形態では位置特定目印として矢印を用いたが、これに限らず円形の印、四角の目印でもよい。
【００４８】
また、撮影と同時に被験者１の身長と体重を入力してＢＭＩを算出し、このＢＭＩに応じて枕２や寝具３の硬さを決定してもよい。なお、体重からだけで寝具や枕２の硬さを決定してもよい。
【００４９】
上記実施形態では、決定装置１０をタブレット端末で実現させたが、これに限らず、スマートフォン、フィチャーフォンで実現してもよく、パソコンで実現してもよい。なお、パソコンで実現する場合には、人物画像２４をデジタルカメラで撮影すればよい。
【００５０】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１・・・被験者、２・・・枕、３・・・寝具、１０・・・枕の高さ決定装置、１２・・・制御部、１４・・・カメラ、１６・・・表示部、１８・・・タッチパネル、２０・・・記憶部、４０・・・取得部、４２・・・位置決定部、４４・・・第１直線算出部、４６・・・第２直線算出部、４８・・・角度算出部、５０・・・高さ決定部、５２・・・寝具画像生成部
【図１】
2015094740.tif 000003
【図２】
2015094740.tif 000004
【図３】
2015094740.tif 000005
【図４】
2015094740.tif 000006
【図５】
2015094740.tif 000007
【図６】
2015094740.tif 000008
【図７】
2015094740.tif 000009
【図８】
2015094740.tif 000010
【図９】
2015094740.tif 000011
【図１０】
2015094740.tif 000012
【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
真っ直ぐに立った被験者の横の姿が撮影された人物画像を取得する取得部と、
前記人物画像中の前記被験者の後頭部、背中、臀部の位置を決定する位置決定部と、
前記後頭部と前記背中を結ぶ第１直線を算出する第１直線算出部と、
前記背中と前記臀部とを結ぶ第２直線を算出する第２直線算出部と、
前記第１直線と前記第２直線とが交差する頭傾斜角度θを算出する角度算出部と、
前記後頭部の位置において前記第２直線が前記第１直線より後方に位置した状態で前記頭傾斜角度θが大きいほど、枕の高さを高く決定する高さ決定部と、
を有し、
前記位置決定部は、前記人物画像中の前記被験者の前記後頭部、前記背中、前記臀部の位置に位置特定目印をそれぞれ移動させることにより、前記後頭部、前記背中、前記臀部の位置を決定する、
枕の高さ決定装置。
【請求項２】
前記高さ決定部は、前記頭傾斜角度θが、第１閾値角度θ１より大きいときは高い枕に決定し、第１閾値角度θ１より小さく第２閾値角度θ２（但し、θ１＞θ２である）より大きいときは普通の高さの枕に決定し、第２閾値角度θ２より小さいときは低い枕に決定する、
請求項１記載の枕の高さ決定装置。
【請求項３】
前記高さ決定部は、前記後頭部の位置において前記第２直線が前記第１直線より前方に位置した状態のときは、非常に低い枕、又は、枕が不要と決定する、
請求項２記載の枕の高さ決定装置。
【請求項４】
前記頭傾斜角度に対応した前記枕の種類が記憶された記憶部をさらに有し、
前記高さ決定部は、前記頭傾斜角度に対応した前記枕の種類を前記記憶部から呼び出す、
請求項１乃至３のいずれか一項に記載の枕の高さ決定装置。
【請求項５】
前記位置決定部は、前記人物画像中の前記被験者の腰部をさらに決定し、
前記第２直線に沿って寝具の側面画像を前記人物画像に重ねて表示し、
前記背中と前記臀部の位置を前記第２直線の高さより低く補正した前記側面画像、又は、前記腰部の位置を前記第２直線の高さより高く補正した前記側面画像を生成する寝具画像生成部をさらに有する、
請求項１乃至４のいずれか一項に記載の枕の高さ決定装置。
【請求項６】
真っ直ぐに立った被験者の横の姿が撮影された画像を取得する取得ステップと、
前記人物画像中の前記被験者の後頭部、背中、臀部の位置を決定する位置決定ステップと、
前記後頭部と前記背中を結ぶ第１直線を算出する第１直線算出ステップと、
前記背中と前記臀部とを結ぶ第２直線を算出する第２直線算出ステップと、
前記第１直線と前記第２直線とが交差する頭傾斜角度を算出する角度算出ステップと、
前記頭傾斜角度が大きいほど、枕の高さを高く算出する高さ決定ステップと、
を有し、
前記位置決定ステップにおいて、前記人物画像中の前記被験者の前記後頭部、前記背中、前記臀部の位置に位置特定目印をそれぞれ移動させることにより、前記後頭部、前記背中、前記臀部の位置を決定する、
枕の高さ決定方法。
【請求項７】
真っ直ぐに立った被験者の横の姿が撮影された画像を取得する取得機能と、
前記人物画像中の前記被験者の後頭部、背中、臀部の位置を決定する位置決定機能と、
前記後頭部と前記背中を結ぶ第１直線を算出する第１直線算出機能と、
前記背中と前記臀部とを結ぶ第２直線を算出する第２直線算出機能と、
前記第１直線と前記第２直線とが交差する頭傾斜角度を算出する角度算出機能と、
前記頭傾斜角度が大きいほど、枕の高さを高く算出する高さ決定機能と、
をコンピュータに実現させ、
前記位置決定機能において、前記人物画像中の前記被験者の前記後頭部、前記背中、前記臀部の位置に位置特定目印をそれぞれ移動させることにより、前記後頭部、前記背中、前記臀部の位置を決定する、
枕の高さ決定プログラム。
【手続補正２】
【補正対象書類名】明細書
【補正対象項目名】０００７
【補正方法】変更
【補正の内容】
【０００７】
本発明の実施形態は、真っ直ぐに立った被験者の横の姿が撮影された人物画像を取得する取得部と、
前記人物画像中の前記被験者の後頭部、背中、臀部の位置を決定する位置決定部と、
前記後頭部と前記背中を結ぶ第１直線を算出する第１直線算出部と、
前記背中と前記臀部とを結ぶ第２直線を算出する第２直線算出部と、
前記第１直線と前記第２直線とが交差する頭傾斜角度θを算出する角度算出部と、
前記頭傾斜角度が大きいほど、枕の高さを高く決定する高さ算出部と、
を有し、
前記位置決定部は、前記人物画像中の前記被験者の前記後頭部、前記背中、前記臀部の位置に位置特定目印をそれぞれ移動させることにより、前記後頭部、前記背中、前記臀部の位置を決定する、である。